(57)【特許請求の範囲】
【請求項１】
遊技媒体を計数する計数手段と、計数された遊技媒体の数量を特定可能な計数情報が記録された記録媒体を所定の発行操作に基づいて発行可能な発行手段と、を備える遊技場用装置と、
前記記録媒体から前記計数情報を読み取る読取手段を備え、景品交換処理を実行可能な景品処理装置と、
を含む遊技場用システムにおいて、
前記遊技場用装置は、
複数の景品それぞれを、各景品の属する景品カテゴリと各景品の遊技媒体との交換時に必要な遊技媒体数に基づいてグループ分けした景品グループ情報を表示する表示手段と、
遊技者による選択操作に基づき、前記景品グループ情報を選択する選択手段と、を備え、
前記発行手段は、
遊技者による前記発行操作に基づいて、選択された前記景品グループ情報と、前記計数情報と、を記録媒体に記録して発行可能であり、
前記遊技場用装置は、
遊技者による前記選択操作が行われずに遊技者により前記発行操作が行われる場合に、所定数より多い遊技媒体の数量を示す前記計数情報を記録媒体に記録して発行することを制限可能であり、遊技者により前記選択操作と前記発行操作が行われる場合に、前記景品グループ情報と前記所定数より多い遊技媒体の数量を示す前記計数情報とを記録媒体に記録して発行することを許容可能である第一制限モードを設定する第一制限モード設定手段を備え、
前記景品処理装置は、
前記読取手段により前記記録媒体から前記景品グループ情報と前記計数情報とを読取り可能であるとともに、
前記景品グループ情報と前記計数情報とに基づいて、前記景品カテゴリと遊技媒体の数量に対応する景品を抽出し、抽出された景品をそれぞれ特定可能な景品個別情報を表示し、従業員に当該景品個別情報を選択させて前記景品交換処理を実行可能である
ことを特徴とする遊技場用システム。
【請求項２】
遊技媒体を計数する計数手段と、計数された遊技媒体の数量を特定可能な計数情報が記録された記録媒体を所定の発行操作に基づいて発行可能な発行手段と、を備える遊技場用装置と、
前記記録媒体から前記計数情報を読み取る読取手段を備え、景品交換処理を実行可能な景品処理装置と、
を含む遊技場用システムにおいて、
前記遊技場用装置は、
複数の景品それぞれを、各景品の属する景品カテゴリと各景品の遊技媒体との交換時に必要な遊技媒体数に基づいてグループ分けした景品グループ情報を表示する表示手段と、
遊技者による選択操作に基づき、前記景品グループ情報を選択する選択手段と、を備え、
前記発行手段は、
遊技者による前記発行操作に基づいて、選択された前記景品グループ情報と、前記計数情報と、を記録媒体に記録して発行可能であり、
前記景品処理装置は、
前記読取手段により前記記録媒体から前記景品グループ情報と前記計数情報とを読取り可能であるとともに、
前記景品グループ情報と前記計数情報とに基づいて、前記景品カテゴリと遊技媒体の数量に対応する景品を抽出し、抽出された景品をそれぞれ特定可能な景品個別情報を表示し、従業員に当該景品個別情報を選択させて前記景品交換処理を実行可能であり、
前記読取手段により前記記録媒体から前記景品グループ情報と前記計数情報とを読取った場合であっても、前記景品グループ情報に基づいて特定される前記景品カテゴリとは異なる景品カテゴリに属する景品であって、前記計数情報から特定される前記遊技媒体の数量以下の景品の前記景品個別情報を表示し、従業員に当該景品個別情報を選択させて前記景品交換処理を実行可能である
ことを特徴とする遊技場用システム。
【請求項３】
遊技媒体を計数する計数手段と、計数された遊技媒体の数量を特定可能な計数情報が記録された記録媒体を所定の発行操作に基づいて発行可能な発行手段と、を備える遊技場用装置と、
前記記録媒体から前記計数情報を読み取る読取手段を備え、景品交換処理を実行可能な景品処理装置と、
を含む遊技場用システムにおいて、
前記遊技場用装置は、
複数の景品それぞれを、各景品の属する景品カテゴリと各景品の遊技媒体との交換時に必要な遊技媒体数に基づいてグループ分けした景品グループ情報を表示する表示手段と、
遊技者による選択操作に基づき、前記景品グループ情報を選択する選択手段と、を備え、
前記発行手段は、
遊技者による前記発行操作に基づいて、選択された前記景品グループ情報と、前記計数情報と、を記録媒体に記録して発行可能であり、
前記遊技場用装置は、
所定の認証手段による認証が行われない場合に、前記計数情報を記録して記録媒体を発行することを制限可能であり、遊技者により前記選択操作と前記発行操作が行われる場合に、前記景品グループ情報と前記計数情報とを記録媒体に記録して発行することを許容可能である第二制限モードを設定する第二制限モード設定手段を備え、
前記景品処理装置は、
前記読取手段により前記記録媒体から前記景品グループ情報と前記計数情報とを読取り可能であるとともに、
前記景品グループ情報と前記計数情報とに基づいて、前記景品カテゴリと遊技媒体の数量に対応する景品を抽出し、抽出された景品をそれぞれ特定可能な景品個別情報を表示し、従業員に当該景品個別情報を選択させて前記景品交換処理を実行可能である
ことを特徴とする遊技場用システム。
【請求項４】
遊技媒体を計数する計数手段と、計数された遊技媒体の数量を特定可能な計数情報が記録された記録媒体を所定の発行操作に基づいて発行可能な発行手段と、を備える遊技場用装置と、
前記記録媒体から前記計数情報を読み取る読取手段を備え、景品交換処理を実行可能な景品処理装置と、
を含む遊技場用システムにおいて、
前記遊技場用装置は、
複数の景品それぞれを、各景品の属する景品カテゴリと各景品の遊技媒体との交換時に必要な遊技媒体数に基づいてグループ分けした景品グループ情報を表示する表示手段と、
遊技者による選択操作に基づき、前記景品グループ情報を選択する選択手段と、を備え、
前記発行手段は、
遊技者による前記発行操作に基づいて、選択された前記景品グループ情報と、前記計数情報と、を記録媒体に記録して発行可能であり、
前記遊技場用装置は、遊技者による前記発行操作が連続して行われる場合に、前記発行手段によって前記景品グループ情報と前記計数情報を記録媒体に記録して発行することを禁止する制御を実行可能であり、
前記景品処理装置は、
前記読取手段により前記記録媒体から前記景品グループ情報と前記計数情報とを読取り可能であるとともに、
前記景品グループ情報と前記計数情報とに基づいて、前記景品カテゴリと遊技媒体の数量に対応する景品を抽出し、抽出された景品をそれぞれ特定可能な景品個別情報を表示し、従業員に当該景品個別情報を選択させて前記景品交換処理を実行可能である
ことを特徴とする遊技場用システム。
【発明の詳細な説明】
【技術分野】
【０００１】
本発明は、遊技媒体を計数する遊技場用装置と、この遊技場用装置で計数された計数結果に基づき、所定の景品との交換を可能とする遊技場用システム及びプログラムに関する。
【背景技術】
【０００２】
一般に、パチンコ機やスロットマシン等の遊技機が設置された遊技場においては、遊技によって獲得した遊技媒体の個数に応じて景品との交換を可能とする景品交換システムなどの遊技場用システムが導入されている。この遊技場用システムは、例えば、景品交換装置、計数装置等の遊技場用装置を備えており、計数装置により計数された遊技媒体の計数値が記録されたレシートを、景品交換装置が設置される景品交換カウンターで提示すると、従業員が所定の読み取り装置を用いてレシートから計数値を読み取り、当該読み取られた計数値に応じた景品との交換を可能としている。
このような景品交換を可能とする遊技場用装置として、特許文献１には、交換を希望する景品としてＣＤを選択する場合、遊技者は、ＣＤのタイトル（品名）など詳細な検索を経たうえで、所望のＣＤを景品として選択する交換機が開示されている。
また、特許文献２には、遊技媒体の計数を遊技者自ら行うことを可能とする計数装置を含む遊技媒体計数システムが開示されている。
【先行技術文献】
【特許文献】
【０００３】
【特許文献１】特開２００２−０５２２２２号公報
【特許文献２】特開２０１２−２８４９４０号公報
【発明の概要】
【発明が解決しようとする課題】
【０００４】
しかしながら、遊技者が景品の名称を検索して希望する景品を選択する従来の遊技場用装置やこの遊技場用装置を含む遊技場用システムには改善の余地があった。
【課題を解決するための手段】
【０００５】
上記課題を解決するため、本発明の遊技場用システムは、遊技媒体を計数する計数手段と、計数された遊技媒体の数量を特定可能な計数情報が記録された記録媒体を所定の発行操作に基づいて発行可能な発行手段と、を備える遊技場用装置と、記録媒体から計数情報を読み取る読取手段を備え、景品交換処理を実行可能な景品処理装置と、を含む遊技場用システムにおいて、遊技場用装置は、複数の景品それぞれを、各景品の属する景品カテゴリと各景品の遊技媒体との交換時に必要な遊技媒体数に基づいてグループ分けした景品グループ情報を表示する表示手段と、遊技者による選択操作に基づき、景品グループ情報を選択する選択手段と、を備え、発行手段は、遊技者による発行操作に基づいて、選択された景品グループ情報と、計数情報と、を記録媒体に記録して発行可能であり、遊技場用装置は、遊技者による選択操作が行われずに遊技者により発行操作が行われる場合に、所定数より多い遊技媒体の数量を示す計数情報を記録媒体に記録して発行することを制限可能であり、遊技者により選択操作と発行操作が行われる場合に、景品グループ情報と所定数より多い遊技媒体の数量を示す計数情報とを記録媒体に記録して発行することを許容可能である第一制限モードを設定する第一制限モード設定手段を備え、景品処理装置は、読取手段により記録媒体から景品グループ情報と計数情報とを読取り可能であるとともに、景品グループ情報と計数情報とに基づいて、景品カテゴリと遊技媒体の数量に対応する景品を抽出し、抽出された景品をそれぞれ特定可能な景品個別情報を表示し、従業員に当該景品個別情報を選択させて景品交換処理を実行可能に構成してある。
【図面の簡単な説明】
【０００６】
【図１】本発明の遊技場用システムの一実施形態に係る景品交換システムの全体構成を模式的に示す説明図である。
【図２】本発明の一実施形態に係る計数装置の外観を概略的に示す斜視図である。
【図３】計数装置の構成を示すブロック図である。
【図４】景品交換装置の構成を示すブロック図である。
【図５】計数装置と景品交換装置にともに記憶される景品グループ情報リストである。
【図６】計数装置の表示部に表示される景品選択画面と、当該景品選択画面において表示される景品選択ボタンを示す図である。
【図７】計数装置により発行されたレシートの一例を示す図である。
【図８】景品個別情報が対応付けられた景品選択ボタンを示す図である。
【図９】計数装置の表示部に表示される表示モード切り替え画面である。
【図１０】待機画面であり、景品選択画面移行ボタンを示す図である。
【図１１】景品交換装置の表示部に表示される景品表示画面と、当該景品表示画面において表示される景品表示ボタンを示す図である。
【図１２】景品交換装置の表示部に表示される画面であって、（ｉ）はカテゴリ選択画面、（ii）は選択された景品カテゴリに係る景品表示画面を示す図である。
【図１３】計数装置が待機状態にあるときに、景品選択画面移行操作があったときの動作を示すフローチャートである。
【図１４】計数装置が待機状態にあるときに、遊技球が計数されたときの動作を示すフローチャートである。
【図１５】景品交換装置の動作を示すフローチャートである。
【発明を実施するための形態】
【０００７】
以下、本発明に係る遊技場用装置と、この遊技場用装置を含む遊技場用システムの好ましい実施形態について、各図を参照して説明する。
【０００８】
図１は、本発明の遊技場用システムの一実施形態に係る景品交換システムの全体構成を模式的に示す説明図である。図２は、本発明の一実施形態に係る計数装置の外観を概略的に示す斜視図である。図３は、計数装置の構成を示すブロック図であり、図４は、景品交換装置の構成を示すブロック図である。
本実施形態に係る景品交換システムは、図示しないパチンコ機やスロットマシン等の遊技機が多数設置されている遊技場に備えられ、本発明の遊技場用システムを構成している。
本実施形態の景品交換システムは、遊技媒体である遊技球を計数するとともに、計数され遊技球の計数値をレシート等の記録媒体に記録して発行する計数装置１０と、記録媒体から読み取った計数値に対応する景品（賞品）との交換処理を行う景品交換装置２０と、から構成され、これらの装置が、ＬＡＮケーブル等で双方向通信可能に接続される。
本実施形態における景品交換システムでは、所定の場合に、遊技者が単独で計数装置１０を操作可能としている。
以下、各装置について説明する。
【０００９】
［計数装置］
計数装置１０は、複数の遊技機が設置される遊技場において、複数の遊技機を単位とした遊技機島の島端や、景品交換カウンターの近傍など、遊技場の所定の場所に配置される。
なお、図１に示す本実施形態に係る計数装置１０は、設置用の台・テーブル等に据置できる卓上型であるが、装置自体が遊技場の床面に設置される縦置き型の計数装置にすることもできる。
【００１０】
計数装置１０は、図２に示すように、遊技球を投入する投入口１１と、本発明の表示手段であり、小画面の液晶表示器等からなる表示部１２と、本発明の発行手段であり、遊技球の計数値等が印刷されたレシート４０を発行するレシート発行部１３と、遊技者が所持する会員カードや店員が所持する店員カードを受け付けるカード挿入口１４と、遊技球が返却される返却口１５と、押下操作によってレシート発行部１３からレシート４０を発行させる発行ボタン１６とを設けている。
このうち、表示部１２は、タッチパネル機能を備えており、例えば、表示部１２の景品選択画面Ｐ１中に表示される景品選択ボタンｂ１を選択することで、所定の選択信号を制御部１９に送るようになっている。
【００１１】
また、図３に示すように、計数装置１０の内部には、計数スイッチ１１ａ、カードリーダー１４ａ、玉返却部１５ａ、通信部１７、記憶部１８、制御部１９を設けている。
計数スイッチ１１ａは、本発明の計数手段であり、投入口１１から投入された遊技球を計数する。具体的には、センサにより遊技球を検知し、計数信号を制御部１９に送信する。制御部１９は、計数信号から計数値を求めＲＡＭに記憶する。
カードリーダー１４ａは、カード挿入口１４に挿入されたカードから、当該カードに記録された情報を読み取る。
例えば、カードリーダー１４ａは、貯玉会員として登録された遊技者の会員ＩＤが記録された会員カードから、当該会員カードに記録された会員ＩＤを読み取る。読み取られた会員ＩＤは、遊技球の計数値と関連付けられ、通信部１７を介して計数装置１０から他の遊技場用装置に送信され、これにより、遊技場用装置における貯玉処理を実行可能としている。
また、カードリーダー１４ａは、所定の店員情報として店員ＩＤが記録された店員カードから、店員ＩＤを読み取る。
読み取られた店員ＩＤは、予め記憶部１８に記憶されている店員ＩＤと照合され、一致した場合に、計数装置１０の使用を許容するといった店員認証に用いられる。
なお、店員ＩＤの読み取りは、カードリーダー１４ａに限らず、例えば、店員ＩＤが記録されたリモコンから発射される当該店員ＩＤを含む信号の受信が可能なリモコン受信部（図示せず）によっても可能である。
玉返却部１５ａは、所定の場合に遊技球を返却口１５に返却する。
【００１２】
通信部１７は、遊技場内のＬＡＮ等を介して景品交換装置２０と通信を行う通信手段である。具体的には、後記景品交換装置２０にて登録した景品グループ情報リストＬを、通信部１７を介して受信する。受信した景品グループ情報リストＬは記憶部１８に記憶される。
なお、景品グループ情報リストＬは、計数装置１０で登録したものを景品交換装置２０に送信することもでき、通信部１７は、この場合、送信手段として機能する。
記憶部１８は、例えば、後述する制御部１９を構成するＲＡＭや、制御部１９により接続されるＥＥＰＲＯＭやフラッシュメモリ等の不揮発性メモリ等の記憶手段により構成される。
【００１３】
記憶部１８に記憶される登録情報には、景品グループ情報リストＬがある。
景品グループ情報リストＬは、図５に示すように、タバコＡ，タバコＢ，ジュースＡなどの品名に相当する景品個別情報と、タバコ、ジュースなどの景品の種別に相当する景品カテゴリと、景品交換時に必要な遊技媒体数（以下、景品玉数という。）とが対応付けられたテーブルデータである。
景品グループ情報リストＬは、「タバコ」、「飲料」、「お菓子」といった、いわゆる少額景品に関するデータによって構成される。
なお、「景品」とは、遊技者が獲得した遊技媒体と引き換えに提供されるものであり、現金との交換が可能な特殊景品と、現金以外の景品との交換が可能な一般景品とがある。
「少額景品」は、一般景品に属し、景品玉数が所定数量（例えば、２００玉）以下の景品をいう。
また、記憶部１８には、計数装置１０の使用が許可されている店員の認証のため、店員カードに記録されたＩＤ情報が予め記憶されている。
【００１４】
制御部１９は、ＣＰＵ、制御プログラムやデータが記憶されたＲＯＭ、ワークメモリとして機能するＲＡＭ、Ｉ／Ｏポートなどで構成されるコンピュータである。
制御部１９は、制御プログラムに従い、計数装置１０の構成各部を制御することで、各部が以下のような動作処理を行う。
【００１５】
図６は、表示部１２に表示される景品選択画面と、当該景品選択画面において表示される景品選択ボタンを示す図である。
図６に示すように、制御部１９は、複数の景品それぞれを、各景品の属する景品カテゴリと景品玉数とを基準にグループ分けした場合の各グループの基準情報（景品カテゴリと景品玉数）を景品グループ情報とし、これを各景品選択ボタンｂ１に対応付けて表示部１２に表示する。
具体的には、記憶部１８に記憶されている景品グループ情報リストＬ（図５参照）を参照し、各景品グループ情報に対応する景品カテゴリと景品玉数を景品選択ボタンｂ１に付して表示する。
【００１６】
このようにすると、景品の品名ごとに個別に選択ボタンを設ける場合に比べ、ボタン数を削減することができる。
また、各景品選択ボタンｂ１の表示は、景品カテゴリといった上位レベルでの識別性を維持している。このため、希望景品の景品玉数が予め分かっているような場合や景品玉数を基準に景品を選択する場合に、希望景品に係る景品選択ボタンｂ１を容易に見つけて選択することができる。
また、小画面であるために表示領域が制限される表示部１２にあっても、視認性や操作性を向上させることができる。
すなわち、従来は、多数の品名に対応した多数の選択ボタンを画面内に納めるため、選択ボタンが小さくなって視認性を低下させる問題があった。
一方、視認性を考慮し、ボタン表示を大きくすると、選択画面が複数ページに亘ることとなる。このため、遊技者は、画面をスクロールさせなら希望景品に係る選択ボタンを探す必要があり、操作性の問題があった。
これに対し、本実施形態の計数装置１０によれば、ボタン数が少なく適切な大きさで表示することができるため、視認性や操作性の問題を解決することができる。
【００１７】
また、制御部１９は、表示部１２を、選択手段として動作させることで、所定の選択操作に基づき、景品グループ情報を選択する。
具体的には、景品選択画面Ｐ１に表示されている景品選択ボタンｂ１をタッチ操作により選択する。なお、計数値が景品玉数を満たす景品選択ボタンｂ１の選択のみ受け付け、計数値が景品玉数に満たない景品選択ボタンｂ１の選択は受け付けないようにすることができる。
景品選択ボタンｂ１が選択されると、制御部１９は、表示部１２から、選択された景品選択ボタンｂ１に対応する景品グループ情報を含む選択信号を受信する。
そして、制御部１９は、レシート発行部１３を、発行手段として動作させることで、選択された景品グループ情報及び計数された遊技球の数量（計数値）とを特定可能な計数情報を記録媒体に記録して発行する。
【００１８】
例えば、「タバコ／１１０玉」の景品選択ボタンｂ１が選択されると、表示部１２は、景品グループ情報「タバコ／１１０玉」を含む選択信号を制御部１９に送信する。制御部１９は、この選択信号を受信すると、選択信号から景品グループ情報「タバコ／１１０玉」を取り出すとともに、ＲＡＭから計数値を取り出す。ここでは、計数された遊技球の計数値が「１１０玉」とする。制御部１９は、取り出した景品グループ情報「タバコ／１１０玉」及び計数値「１１０玉」からなる計数情報をレシート発行部１３に送る。
【００１９】
レシート発行部１３は、発行ボタン１６の操作に応じ、計数情報をレシート４０に印刷して発行する。具体的には、図７に示すように、景品グループ情報（タバコ／１１０玉）を二次元化したバーコードや、景品グループ情報に含まれる景品カテゴリ「タバコ」や、計数値「玉１１０個」の文字情報が印刷される。
このほか、遊技場の店名、発行日時等をレシート４０に印刷して発行することもできる（図７参照）。
このように、レシート４０には、希望景品に対応する景品カテゴリと交換玉数とを記録することで、景品交換に先だって予め景品を絞り込むようにしており、景品交換の際に、店員に希望する景品を伝えやすい効果を有する。
【００２０】
レシート４０が発行された後、制御部１９は、レシート４０の連続発行を求める所定の操作に応じ、表示部１２に、景品選択画面Ｐ１を再度表示させることができる。
これにより、レシート４０の連続発行が可能となる。
例えば、遊技球の計数値が５００玉である場合において、最初に「タバコ／１１０玉」の景品選択ボタンｂ１が選択してレシート４０を発行した後は、計数値の残り分３９０玉（５００−１１０）の範囲で次の景品を選択し、レシート４０を発行することができる。
なお、レシート４０の発行後、一定時間操作が行われないときは、計数装置１０は終了処理を行う。終了処理により、計数装置１０は、待機状態になり、例えば、図１０に示す待機画面を表示する。
【００２１】
また、レシート４０の連続発行においては、連続発行回数の上限数を設けることができる。これにより、レシート４０の連続発行を制限することができる。上限数は、店員の操作により任意の数を設定することができる。
制御部１９は、景品選択画面Ｐ１を表示した後、計数装置１０において終了処理が行われるまでの間におけるレシート４０の発行回数を計数しており、この計数が上限数に達した場合には、レシート４０の連続発行を求める操作があったとしても景品選択画面Ｐ１を表示せず、又は、発行ボタン１６を無効化するなどして、レシート４０の発行を禁止する。
例えば、遊技球の計数値が１０００玉のときに、「タバコ／１１０玉」の景品のレシート４０を連続発行させる場合、計算上は、９回連続して発行することができる（１０００玉≧１１０玉×９）が、レシート４０の連続発行回数の上限数が５回に設定されている場合には、レシート４０は５回まで連続発行できるが、６回以上は連続発行することはできない。
このように、本実施形態の計数装置１０は、レシート４０の連続発行を可能とすることで遊技者の利便性を向上させている。一方、連続発行回数を制限することで、悪意のある遊技者が不正に大量に景品交換を行うことを防止できるようにしている。
なお、終了処理が行われると、レシート４０の発行回数の計数はリセットされる。このため、新たな遊技者が計数装置１０を操作して行われるレシート４０の発行が、それ以前の他の遊技者の操作によるレシート４０の発行によって制限されることはない。
【００２２】
また、計数装置１０においては、遊技球の計数値のみを印刷したレシート４０（以下、計数レシートという。）に発行することもできる。例えば、特殊景品など、景品グループ情報リストＬに含まれない景品との交換を希望する場合に計数レシートを発行することができる。
計数レシートは、具体的には、計数スイッチ１１ａにより遊技球を計数した後、発行ボタン１６を押下することで、計数値のみがレシート４０に印刷される。
このように、本実施形態の計数装置１０では、景品選択ボタンｂ１を選択することで対応する計数情報が印刷されたレシート（以下、景品レシートという。）を発行可能であるとともに、景品選択ボタンｂ１を選択せずに計数値のみが印刷された計数レシートを発行することもできる。
【００２３】
また、本実施形態の計数装置１０は、景品選択画面Ｐ１の表示態様を変更することができる。
すなわち、図８に示すように、景品個別情報に対応する景品選択ボタンｂ１を配置した景品選択画面Ｐ１を表示することができる。
ここで、図８に示すように、景品個別情報(品名)に対応する景品選択ボタンｂ１を表示する表示モードを景品個別情報表示モードといい、図６に示すように、景品グループ情報に対応する景品選択ボタンｂ１を表示する表示モードを景品グループ情報表示モードという。
景品個別情報表示モードの表示動作として、制御部１９は、記憶部１８に記憶される景品グループ情報リストＬから各景品個別情報を取り出し、これらを各景品選択ボタンｂ１に対応付けて表示する。なお、図８に示す例は、景品グループ情報リストＬから各景品個別情報と景品玉数の組合せ情報を取り出し、これらの組合せ情報を各景品選択ボタンｂ１に対応付けて表示したものである。
このようにすると、各景品選択ボタンｂ１に品名が表示されているため、遊技者は、希望する景品を遊技球の計数時に確定することができる。また、景品選択ボタンｂ１に、品名と景品玉数を表示することで、希望景品の景品玉数を確認することができる。
【００２４】
景品選択ボタンｂ１を選択し、発行ボタン１６を押すと、レシート発行部１３は、選択された景品選択ボタンｂ１に対応する景品個別情報と計数値とを特定可能な計数情報（バーコードや文字情報）をレシート４０に印刷する。この場合、景品カテゴリは計数情報として印刷されない。ただし、景品個別情報に対応する景品カテゴリをレシート４０に印刷することもできる。
このようにすると、景品交換カウンターにおいて景品と交換する際には、景品の品名が特定されているため、円滑に景品交換を行うことができる。
【００２５】
景品グループ情報表示モードと景品個別情報表示モードの変更は、所定操作によって行うことができる。
図９は、「景品グループ情報表示」ボタンと「景品個別情報表示」ボタンとが配置された表示モード切り替え画面である。
図９に示す表示モード切り替え画面において、遊技者は、「景品グループ情報表示」ボタンと「景品個別情報表示」ボタンのいずれかを選択することで、選択した表示態様の景品選択画面Ｐ１を表示することができる（表示モード切り替え手段）。
このようにすると、遊技者が自身の好みに応じて切り替えることができるため、遊技者が計数装置１０を操作する際の利便性を高めることができる。
【００２６】
また、制御部１９は、レシート４０の発行に応じ、選択された景品カテゴリ及び景品玉数、発行日時等を履歴情報として記憶部１８に記憶することができる。
そして、このような履歴情報に基づき、景品カテゴリと景品玉数の選択頻度を求めることができる。
例えば、選択頻度の高い景品カテゴリと景品玉数が付された景品選択ボタンｂ１を景品選択画面Ｐ１のトップ画面に表示させたり、同一景品カテゴリに含まれる景品選択ボタンｂ１にあっては、選択頻度の高い景品カテゴリと景品玉数が付された景品選択ボタンｂ１を上位に配置することができる。
このため、計数装置１０における操作性をさらに向上させることができる。
【００２７】
ところで、計数装置１０は、一般的には、安全上の理由から、店員が立ち会うこと無く、遊技者が単独でレシート発行することはできないが、本実施形態の計数装置１０は、所定操作と発行操作によってこのようなレシート発行ができるようになっている。
図１０は、待機画面であり、景品選択画面移行ボタンを示す図である。この景品選択画面移行ボタンは、計数装置１０が待機状態にときに表示される。
本実施形態の計数装置１０は、景品選択画面移行ボタンｂ３の選択に応じた以下の動作を行う。
すなわち、遊技者により景品選択画面移行ボタンｂ３が押下されると、制御部１９は、景品選択画面Ｐ１を表示部１２に表示する（図６参照）。
なお、このとき、例えば、投入口１１がシャッター等により閉鎖されている場合は、これを開放し、レシート発行操作が無効に設定されている場合は、これを有効化する。
【００２８】
これにより、遊技者は、遊技球を投入口１１に投入して計数させることができ、景品選択画面Ｐ１から景品選択ボタンｂ１を選択することができる。
そのうえで、発行ボタン１６を押下することで、レシート発行部１３が、選択された景品選択ボタンｂ１に対応する景品グループ情報とＲＡＭから読み出した計数値とを特定可能な計数情報をレシート４０に印刷する。
すなわち、レシート４０の発行に先だって行う景品選択操作は、景品選択ボタンｂ１が表示部１２に表示されている必要があるところ、本実施形態の計数装置１０は、景品選択画面移行ボタンｂ３の操作があったときに限り、景品選択ボタンｂ１を表示するようにしている。
なお、景品選択ボタンｂ１によって選択可能な景品は、少額景品に限られているため、不正行為が行われる蓋然性は低い。
このため、本発明によれば、店員の立ち会いがなくても、所定の操作に基づき表示される景品選択ボタンｂ１に従って、レシート４０（景品レシート）を遊技者が単独で発行させることができる。
しかも、既述の通り、本実施形態の計数装置１０は操作性に優れるところ、これは遊技者自ら行う場合も同様であり、円滑なレシート発行を可能としている。
【００２９】
また、本実施形態の計数装置１０は、制限機能として、２つの制限モード（第一制限モード、第二制限モード）の設定が可能であり（本発明の第一制限モード設定手段、第二制限モード設定手段）、さらに、これらの制限モードが設定されている場合でも一部の機能については例外的に許容するようにしている。
以下、第一制限モード及び第二制限モード、並びにそれぞれの例外機能について説明する。
【００３０】
第一制限モードは、遊技者自らの操作に基づく「計数レシート」の発行を許容しつつも、その際に交換できる遊技球数の上限値(本発明の所定数)を設けた制限モードである。
具体的には、通常時においても、シャッター等の制限機構や制限機能を設けないが、計数値が上限値を超える場合は、超過した遊技球は、返却するなど、有効な計数値として扱わないようにしている。
つまり、店員の立ち会い無く、遊技者の単独操作で無制限に特殊景品等の交換ができるとすると、これを悪用した不正行為を引き起こしかねないことから、計数値を制限するようにしている。
ただし、第一制限モードが設定されている場合に、景品選択ボタンｂ１の選択によって景品玉数が上限値より多い景品に対応する景品グループ情報が選択された場合であっても、当該選択が遊技者による場合には、発行ボタン１６の操作に応じ、選択した景品選択ボタンｂ１に対応する景品グループ情報及び計数値を特定可能な計数情報をレシート４０に印刷するようにしている。
すなわち、遊技者が自らの操作によって、景品グループ情報リストＬに登録された少額景品に関する景品レシートを発行する場合には、上述した不正行為が生じる蓋然性は低いため、その景品に対応する景品玉数が、所定数（上限値）を超過する場合であっても、例外的にその景品レシートの発行を許容するようにしている。
【００３１】
例えば、上限値が１００玉として設定されている場合、遊技者は自ら計数装置１０を操作して１００玉以下の計数値の計数レシートを発行することができるが、１００玉より多い計数値の計数レシートを発行することはできないことを前提としている。
このような前提がある場合であっても、景品レシートを発行する場合は、景品玉数が１００玉より多い２００玉（例えば、タバコ／２００玉）の場合でもその発行を許容するようにしている。
このため、一定のセキュリティは保持しつつ、遊技者の利便性を向上することができる。
【００３２】
第二制限モードは、いわゆる店員認証が行われない場合に、遊技者自らの操作に基づく「計数レシート」の発行を制限する制限モードである。
「店員認証」（認証手段）は、カードリーダー１４ａが読み取った店員カードの店員ＩＤを、予め記憶部１８に記憶してある店員ＩＤと照合し、一致した場合のみ認証がされて計数装置１０の使用が許容される。
店員が立ち会っていないときには、店員認証が行われない状態にあるため、計数装置１０の使用制限として、遊技者が単独で計数レシートを発行できないようにしている（第二制限モード）。
ただし、本実施形態の計数装置１０は、このように第二制限モードが設定されている場合であっても、遊技者が、単独で「景品レシート」の発行を行う場合には、例外的に、その景品レシートの発行を許容するようにしている。
言い換えると、店員認証が行われない場合、遊技者は単独操作で「景品レシート」を発行することはできるが、「計数レシート」の発行は、遊技者単独ではできないようにしている。
このようにしたのは、店員認証が行われない場合において、遊技者の単独操作で「計数レシート」に発行ができるとすると、これを悪用した不正行為を引き起こしかねないが、他方、景品グループ情報リストＬに登録された少額景品に関する「景品レシート」を発行する場合には、そのような不正行為が生じる蓋然性は低いことから、例外的にその景品レシートの発行を許容するようにしている。
この場合も、一定のセキュリティは保持しつつ、遊技者の利便性を向上することができる。
【００３３】
なお、第二制限モードにおいて、店員認証が行われない場合には、遊技者の単独操作により「計数レシート」の発行自体を制限するようにしているが、このような制限に代え、計数レシートの発行に際し、計数値に上限値を設けることもできる。
すなわち、店員認証が行われない場合に、遊技者の単独操作により上限値を超える「計数レシート」の発行を制限するが、遊技者の単独操作により景品レシートを発行する場合は、計数値が上限値を超える場合でも、景品レシートの発行を許容するようにすることもできる。
【００３４】
［景品交換装置］
景品交換装置２０は、遊技場の景品交換カウンターなどに設置され、レシート４０に記録された計数値等に対応する景品との交換処理を行う本発明の景品処理装置である。
景品交換装置２０は、具体的には、図４に示すように、バーコードリーダー２１、通信部２３、表示部２４、記憶部２５及び制御部２７を備える。
【００３５】
バーコードリーダー２１は、計数装置１０により発行されたレシート４０から計数値等を読み取る。
通信部２３は、遊技場内のＬＡＮ等を介して計数装置１０との通信を行う通信手段である。具体的には、景品交換装置２０で登録した景品グループ情報リストＬを、通信部２３を介して、計数装置１０に送信する。
なお、景品グループ情報リストＬは、計数装置１０で登録したものを受信することもでき、通信部２３は、この場合、受信手段として機能する。
表示部２４は、液晶表示器等からなりタッチパネル機能も備えている。例えば、表示部２４に表示される景品表示ボタンｂ２を選択することができる。表示器は、遊技者側と店員側に設けられており、同じ画面を表示することができる。
記憶部２５は、例えば、後述する制御部２７を構成するＲＡＭや、制御部２７により接続されるＥＥＰＲＯＭやフラッシュメモリ等の不揮発性メモリ等の記憶手段により構成される。
【００３６】
記憶部２５には、所定の登録操作によって登録された景品グループ情報リストＬが記憶される（図５参照）。
制御部２７は、ＣＰＵ、制御プログラムやデータが記憶されたＲＯＭ、ワークメモリとして機能するＲＡＭ、Ｉ／Ｏポートなどで構成されるコンピュータである。
制御部２７は、制御プログラムが読み込まれることで、当該制御プログラムに基づき、構成各部を制御することで、各部が以下のような動作処理を行う。
【００３７】
制御部２７は、バーコードリーダー２１を読取手段として動作させることで、計数装置１０によって発行された記録媒体に記録された計数情報を読取る。具体的には、計数装置１０によって発行されたレシート４０（景品レシート）に印刷されたバーコード（計数情報）から、景品カテゴリと景品玉数を読み取る。例えば、図７に示されるレシート４０のバーコードからは、景品カテゴリ「タバコ」と景品玉数「１１０玉」を読み取ることができる。
また、制御部２７は、抽出手段として動作することで、読取手段が読み取った計数情報から特定される景品カテゴリに属する景品のうち景品玉数に対応する景品を抽出する。
例えば、レシート４０のバーコード情報から読み取った計数情報（景品カテゴリ／景品玉数）が「タバコ／１１０玉」の場合、この計数情報をキーとして記憶部２５に記憶されている景品グループ情報リストＬを検索し、一致する「景品個別情報」欄から「タバコＡ」、「タバコＢ」、「タバコＣ」を抽出する。
【００３８】
表示部２４は、抽出した景品の景品個別情報を交換可能な景品として表示する。
図１１は、景品表示画面Ｐ２と、当該景品表示画面Ｐ２において表示される景品表示ボタンｂ２を示す図であり、具体的には、上記例において、抽出手段により抽出された情報にもとづき表示される景品表示ボタンｂ２を示す図である。
すなわち、ここでは、景品カテゴリ「タバコ」のうち、景品玉数「１１０玉」に対応する景品として、各景品表示ボタンｂ２に付された「タバコＡ」、「タバコＢ」、「タバコＣ」が、交換可能な景品として表示される。
このため、店員及び遊技者は、この景品表示画面Ｐ２を見て、タバコＡ、タバコＢ、タバコＣのうちのいずれかと景品交換が可能であることが分かる。
そして、店員は、遊技者又は店員による選択操作により、その品名のタバコを遊技者に渡すことで、景品交換は終了する。
【００３９】
なお、レシート４０から景品カテゴリを含む計数情報が抽出されず、景品個別情報（品名）が抽出された場合、表示部２４は、抽出した景品個別情報を表示する。
計数装置１０において、景品個別情報表示モードにおいて景品が個別に選択された場合に発行されるレシート４０については、このような処理を行う（段落［００２２］等参照）。
これにより、景品交換の際、景品は既に特定されているため、円滑に交換業務を行うことができる。
また、レシート４０から景品カテゴリや景品個別情報が抽出されず、計数値のみが抽出されたときは、店員は、その計数値に応じた景品交換を行う。特殊景品等の交換を行う場合に発行される計数レシート（段落［００２０］参照）については、このような処理を行う。
【００４０】
また、制御部２７は、他の抽出手段として、計数情報から特定される遊技球の計数値以下のすべての景品を表示可能に抽出することができる。
具体的には、表示部２４に景品表示画面Ｐ２が表示されている状態（図１１参照）において、カテゴリ選択画面移行ボタンｂ４を選択すると、景品カテゴリの選択が可能なカテゴリ選択画面Ｐ３に移行する（図１２（ｉ）参照）。
ここで、例えば、「飲料」の景品カテゴリを選択すると、制御部２７は、記憶部２５に記憶されている景品グループ情報リストＬから景品カテゴリ「飲料」とレシート４０から読取った計数値「１１０玉」以下の景品個別情報（「ジュースＡ」、「ジュースＢ」、「ジュースＣ」）を抽出する（図５参照）。
この結果、図１２（ii）の景品表示画面Ｐ２に示すように、景品カテゴリ「飲料」において交換可能な景品として「ジュースＡ」、「ジュースＢ」、「ジュースＣ」が景品表示ボタンｂ２として表示される。
これにより、計数装置１０にて選択した景品カテゴリと異なる景品カテゴリにおいて交換可能な景品を抽出して表示することができる。
そうすると、例えば、遊技者から、「〇〇玉景品」といったように、指定玉数以下の景品の提示を求められた場合や、遊技者の希望する景品カテゴリが途中で変わった場合など、店員は、柔軟に対応することができ、遊技場におけるサービスを向上させることができる。
【００４１】
また、景品交換処理を行った日時等や交換した景品の景品個別情報を履歴情報として記憶部２５に記録することができる。
これにより、景品個別情報ごとに交換頻度を求めることができ、例えば、景品交換の際、表示部２４に交換頻度の高い景品の景品個別情報を上位に表示させることができる。
このようにすると、景品交換装置２０を操作する店員の操作性が向上し、遊技者に対するサービスを向上させることができる。
【００４２】
次に、本実施形態の景品交換システムの各装置における動作についてフローチャートを用いて説明する。
図１３は、計数装置が待機状態にあるときに、景品選択画面移行操作があったときの動作を示すフローチャートであり、図１４は、計数装置が待機状態にあるときに、遊技球が計数されたときの動作を示すフローチャートである。
なお、いずれの場合も、店員認証が行われない第二制限モードにおける動作について説明する。
【００４３】
まず、計数装置１０において、はじめに景品選択画面移行操作があったときの動作について、図１３を参照して説明する。
図１３に示すように、計数装置１０は、待機状態において、景品選択画面移行操作の有無を監視している（Ｓ１１）。具体的には、制御部１９が、景品選択画面移行ボタンｂ３に係る選択信号を受信すると景品選択画面操作があったと判断する。
景品選択画面移行操作があった場合（Ｓ１１−ＹＥＳ）、景品選択画面Ｐ１を表示する（Ｓ１２）。具体的には、制御部１９が、景品グループ情報リストＬ（図５参照）から各景品グループ情報（景品カテゴリと景品玉数）を取り出し、取り出した景品グループ情報を各景品選択ボタンｂ１に対応付けて表示する（図６参照）。
なお、Ｓ１１の景品選択画面移行操作を経ず、はじめから景品選択画面Ｐ１を表示させることもできる。
景品選択ボタンｂ１の選択があった場合（Ｓ１３−ＹＥＳ）、計数の有無を判断する（Ｓ１４）。制御部１９は、景品選択ボタンｂ１に係る選択信号を受信するとその景品選択ボタンｂ１の選択があったと判断する。制御部１９は、計数スイッチ１１ａから計数信号を受信し、計数値が確定すると計数があったと判断する。
なお、Ｓ１３における景品選択ボタンｂ１の選択の有無の判断と、Ｓ１４における計数の有無の判断の処理順序は逆であってもよい。
【００４４】
遊技球の計数があった場合（Ｓ１４−ＹＥＳ）、レシート発行操作の有無を判断する（Ｓ１５）。制御部１９は、発行ボタン１６に係る選択信号を受信するとレシート発行操作があったと判断する。
そして、レシート発行操作があった場合（Ｓ１５−ＹＥＳ）、レシート４０を発行する（Ｓ１６）。具体的には、Ｓ１３で選択された景品選択ボタンｂ１に対応する景品グループ情報（景品カテゴリ／景品玉数）と、Ｓ１４で計数された計数値とを特定可能なバーコードが、レシート発行部１３によりレシート４０に印刷されて発行される。
【００４５】
レシート４０の発行後、一定時間操作がない場合（Ｓ１７−ＮＯ）、計数装置１０において終了処理が行われる。具体的には、表示部１２に待機画面を表示する（図１０参照）。
レシート４０の発行後、レシート４０の連続発行を求める所定の操作があった場合において（Ｓ１７−ＹＥＳ）、それまでのレシート４０の連続発行回数が上限数未満のときには（Ｓ１８−上限数未満）、Ｓ１２に戻り、レシート４０の発行に至る一連の処理を再度行う（Ｓ１２〜Ｓ１６）。一方、Ｓ１８において、レシート４０の連続発行回数が上限数に達しているときは（Ｓ１８−上限数）、レシート４０の発行を禁止する（Ｓ１９）。
これにより、連続発行回数が上限数を超過するレシート４０の発行は制限される。
なお、レシート４０の連続発行回数に上限数を設けないこともできる。
【００４６】
次に、計数装置１０において、はじめに遊技球が計数されたときの動作について、図１４を参照して説明する。
図１４に示すように、計数装置１０は、遊技球の計数の有無を監視している（Ｓ２１）。
遊技球の計数があった場合（Ｓ２１−ＹＥＳ）、計数値が上限値を超過しているか否かを判断する（Ｓ２２）。
上限値を超過していない場合（Ｓ２２−ＹＥＳ）、景品選択画面移行操作の有無を判断する（Ｓ２３）。
なお、計数値に上限値を設けなくてもよい。すなわち、上限値の超過に関するＳ２２、Ｓ２８、Ｓ２９の動作を行わない態様であってもよい。
景品選択画面移行操作があった場合（Ｓ２３−ＹＥＳ）、景品選択画面Ｐ１を表示する（Ｓ２４）。
【００４７】
次に、景品選択ボタンｂ１の選択の有無を判断する（Ｓ２５）。
景品選択ボタンｂ１の選択があった場合（Ｓ２５−ＹＥＳ）、レシート発行操作の有無を判断する（Ｓ２６）。
そして、レシート発行操作があった場合（Ｓ２６−ＹＥＳ）、レシート４０を発行する（Ｓ２７）。具体的には、Ｓ２５で選択された景品選択ボタンｂ１に対応する景品グループ情報（景品カテゴリ／景品玉数）と、Ｓ２１で計数された計数値とを特定可能なバーコードが、レシート発行部１３によりレシート４０に印刷されて発行される。
Ｓ２３において、景品選択画面移行操作がない場合（Ｓ２３−ＮＯ）、レシート発行操作の有無を判断する（Ｓ２６）。すなわち、遊技者が、計数値のみ特定可能なレシート４０（計数レシート）の発行を望む場合には、Ｓ２４〜Ｓ２５の処理は行わない。
レシート発行操作があった場合（Ｓ２６−ＹＥＳ）、レシート４０を発行する（Ｓ２７）。
これにより、計数値が上限値を超過しない計数レシートの発行は許容される。
【００４８】
レシート４０の発行後、一定時間操作がない場合（Ｓ２８−ＮＯ）、計数装置１０において終了処理が行われる。具体的には、表示部１２に待機画面を表示する（図１０参照）。
レシート４０の発行後、レシート４０の連続発行を求める所定の操作があった場合において（Ｓ２８−ＹＥＳ）、それまでのレシート４０の連続発行回数が上限数未満のときには（Ｓ２９−上限数未満）、Ｓ２４に戻り、レシート４０の発行に至る一連の処理を行う（Ｓ２４〜Ｓ２７）。一方、Ｓ２９において、レシート４０の連続発行回数が上限数に達しているときは（Ｓ２９−上限数）、レシート４０の発行を禁止する（Ｓ３１）。
これにより、連続発行回数が上限数を超過するレシート４０の発行は制限される。
なお、レシート４０の連続発行回数に上限数を設けないこともできる。
【００４９】
Ｓ２２において、計数値が上限値を超過している場合（Ｓ２２−ＹＥＳ）、景品選択ボタンｂ１の選択の有無を判断する（Ｓ３０）。
Ｓ３０において、景品選択ボタンｂ１の選択がない場合（Ｓ３０−ＮＯ）、レシート４０は発行しない（Ｓ３１）。
これにより、計数値が上限値を超過する計数レシートの発行は制限される。
【００５０】
他方、景品選択ボタンｂ１の選択があった場合（Ｓ２８−ＹＥＳ）、Ｓ２４〜Ｓ２７の処理を行う。
これにより、計数値が上限値を超過する場合であっても、景品レシートの発行は許容される。
【００５１】
景品交換装置の動作について図１５を参照して説明する。
図１５に示すように、まず、バーコードリーダー２１によりレシート４０の読み取りを行う（Ｓ４１）。
ここでは、景品グループ情報（景品カテゴリ／景品玉数）と計数値とからなる計数情報を特定可能なバーコードが印刷された景品レシートと、計数値のみを特定可能なバーコード等が印刷された計数レシートを対象とする。
【００５２】
次に、読み取ったレシート４０が景品レシートか計数レシートかを判断する（Ｓ４２）。
具体的には、レシート４０のバーコードから計数値のみが読み出された場合は、計数レシートであり、計数情報が抽出された場合は、景品レシートと判断する。
計数レシートの場合（Ｓ４２−計数レシート）、景品交換の確定処理を行う（Ｓ４６）。
レシート４０から読み取られた計数値はＲＡＭに記憶されており、例えば、バーコードリーダー２１により景品に付されたバーコードから景品玉数が読み取られると、この景品玉数が計数値から差し引かれる。景品が特殊景品の場合、大〇個、中〇個といったように、数量を入力するたびに、対応する景品玉数が計数値から差し引かれる。その後、店員による所定の確定ボタン操作に応じ、景品交換装置２０における景品交換処理が確定し、その際、店員は、景品を遊技者に渡す。
他方、景品レシートの場合（Ｓ４２−景品レシート）、景品グループ情報と計数値の特定を行う（Ｓ４３）。具体的には、レシート４０のバーコードによって表される計数情報から、景品カテゴリ、景品玉数、及び計数値が特定され、ＲＡＭに記憶される。
【００５３】
続いて、景品カテゴリに属する景品玉数に対応する景品を表示する（Ｓ４４）。具体的には、Ｓ４３で特定した景品カテゴリ及び景品玉数に対応する景品を景品グループ情報リストＬから特定し、該当する景品の景品個別情報を表示する。
次に、カテゴリ選択画面移行操作の有無を判断する（Ｓ４５）。具体的には、カテゴリ選択画面移行ボタンｂ４に係る選択信号を制御部２７が受信した場合に、カテゴリ選択画面移行操作があったと判断する。
カテゴリ選択画面移行操作がない場合（Ｓ４５−ＮＯ）、景品交換の確定処理を行う（Ｓ４６）。
具体的には、景品表示画面Ｐ２において、遊技者又は店員の操作により、所望の景品表示ボタンｂ２が選択されると、選択された景品表示ボタンｂ２に対応する景品玉数が、ＲＡＭに記憶されている計数値から差し引かれて、景品交換装置２０における景品交換処理が確定する。この際、店員は、景品を遊技者に渡す。
【００５４】
Ｓ４５において、カテゴリ選択画面移行操作があり（Ｓ４５−ＹＥＳ）、景品カテゴリの選択があった場合（Ｓ４７−ＹＥＳ）、景品カテゴリに属する計数値以下の景品の表示を行う（Ｓ４８）。具体的には、カテゴリ選択画面Ｐ３において選択された景品カテゴリに対応するとともに、Ｓ４３において特定した計数値以下の景品玉数に対応する景品を表示する（図１２参照）。
次に、カテゴリ選択画面移行操作の有無を判断する（Ｓ４９）。
カテゴリ選択画面移行操作がない場合（Ｓ４９−ＮＯ）、景品交換を行う（Ｓ４６）。
カテゴリ選択画面移行操作があった場合（Ｓ４９−ＹＥＳ）、Ｓ４７に戻る。
【００５５】
以上説明したように、本実施形態に係る遊技場用装置、この遊技場用装置を含む遊技場用システム及びプログラムによれば、計数装置１０における計数処理に先立って景品カテゴリと景品玉数を基準としてグループ分けした景品グループ情報を選択可能に表示している。
このため、交換対象の景品を絞り込むことができ、遊技者が望む景品が見つけやすいようになっている。
また、景品交換の対象を少額景品としているため、検索対象を大幅に絞り込むことができ、より円滑に景品を見つけることができるようになっている。
また、景品交換装置２０においては、レシート４０の計数情報から特定される景品の名称を表示するようにしているため、景品交換の際の店員の操作をスムーズにすることができる。
また、遊技者が単独で計数装置１０の操作を行うに際し、所定の制限を課しながらも、一定の処理については例外的に許容することで、安全性と利便性をともに満たすことができる。
【００５６】
一方、特許文献１に開示されているような従来の計数装置や景品交換システムにおいては、遊技者が景品の名称を検索して希望する景品を選択しなければならず時間がかかっていた。
計数値に対応して景品を選択するには、その計数値に対応する全ての景品の中から対応する景品を選択しなければならず、より多くの時間がかかっていた。
また、特許文献２に開示されているような従来の計数装置においては、遊技者自らが計数装置を操作して計数等を行うことが可能だが、少量の遊技媒体だけ計数し、タバコなどの景品交換を円滑に行うことは考慮されていない。
【００５７】
本実施形態の遊技場用装置、これを含む遊技場用システム及びプログラムによれば、従来の計数装置や景品交換システムが改善すべきこのような課題の全部又は一部などを解決することができる。
【００５８】
以上、本発明について、好ましい実施形態を示して説明したが、本発明に係る計数装置１０や景品交換装置２０は、上述した実施形態にのみ限定されるものではなく、本発明の範囲で種々の変更実施が可能であることは言うまでもない。
例えば、計数装置１０の一部の機能を他の遊技場用装置が備えることもできる。
また、上述した本実施形態においては、計数装置１０における計数対象となる遊技媒体を遊技球としたが、計数対象はメダル（コイン）とすることもできる。
また、計数装置１０や景品交換装置２０において記憶している景品グループ情報リストＬは、少額景品に限らず、例えば、音楽用ＣＤ（コンパクトディスク）等、少額景品以外の一般景品を含む構成であってもよい。
また、レシート４０の連続発行回数の制限については、レシート４０の種類（景品レシート、計数レシート）、遊技球の計数値に関する上限値の設定や超過の有無、店員認証の有無の如何を問わず、又は、これらのうちのいずれか一以上の判断と組み合わせて、その実行を制御することができる。
【符号の説明】
【００５９】
１０  計数装置
１２  表示部
１３  レシート発行部
２０  景品交換装置
２４  表示部
４０  レシート
Ｐ１  景品選択画面
Ｐ２  景品表示画面
Ｐ３  カテゴリ選択画面
ｂ１  景品選択ボタン
ｂ２  景品表示ボタン
ｂ３  景品選択画面移行ボタン
ｂ４  カテゴリ選択画面移行ボタン
Ｌ  景品グループ情報リスト
【図１】
0006519010.tif 000002
【図２】
0006519010.tif 000003
【図３】
0006519010.tif 000004
【図４】
0006519010.tif 000005
【図５】
0006519010.tif 000006
【図６】
0006519010.tif 000007
【図７】
0006519010.tif 000008
【図８】
0006519010.tif 000009
【図９】
0006519010.tif 000010
【図１０】
0006519010.tif 000011
【図１１】
0006519010.tif 000012
【図１２】
0006519010.tif 000013
【図１３】
0006519010.tif 000014
【図１４】
0006519010.tif 000015
【図１５】
0006519010.tif 000016